(57)【要約】
【課題】ビデオカセットレコーダのテープローディング装置において、簡素かつ安価な構成を用いてローディングアームのシャーシからの脱落を防止する。
【解決手段】　シャーシＣを円筒状に絞り加工することにより形成された支持軸１６，１９によって、ローディングアーム９，８を軸支する。支持軸１６，１９を中心としてシャーシＣを略円弧状に打ち抜かれて形成された回転ガイド溝と、ローディングアーム９，８に設けられたフック部との係合によって、ローディングアーム９，８を支持する。ローディングアーム８に設けられた鍔部２１とローディングアーム９との重なり、及びローディングアーム８，９とモードレバー１０の重なりによってローディングアーム８，９のシャーシＣからの脱落を防止する。また、ローディングアーム９に設けられた押え片２２とモードレバー１０の縁部２３との係合により、ローディング完了時のローディングアーム９の姿勢を維持する。
【選択図】図５
0003099703.tif 000002
【実用新案登録請求の範囲】
【請求項１】
　磁気テープをガイドするためのガイドローラとガイドポストが立設され、シャーシに設けられたガイド溝に沿って摺動することにより、磁気テープを引出してヘッドシリンダに巻き付ける供給側及び巻取り側のスライダと、
　この供給側及び巻取り側のスライダにそれぞれ連結され、摺動のための駆動力を付与する供給側及び巻取り側のレバー部材と、
　シャーシに回転自在に軸支され、回転力を受けるための第１のギアを有し、前記巻取り側のレバー部材に連結され前記巻取り側のスライダを摺動させるための駆動力を前記巻取り側のレバー部材に伝達する巻取り側のローディングアーム部材と、
　シャーシに回転自在に支持され、回転力を受けるための第２のギア、及び前記第１のギアと噛合って前記巻取り側のローディングアーム部材に回転力を伝達する第３のギアを有し、前記供給側のレバー部材に連結され前記供給側のスライダを摺動させるための駆動力を前記供給側のレバー部材に伝達する供給側のローディングアーム部材と、
　前記第２のギアと噛合うラックを有し、ビデオカセットレコーダの動作モードに応じてシャーシに沿ってスライド移動することにより、前記供給側のローディングアーム部材に回転のための駆動力を伝達するモードレバー部材とを備えたビデオカセットレコーダのテープローディング装置において、
　シャーシは、その一部を円筒状に絞り加工することにより形成された第１の支持軸及び第２の支持軸と、この第１の支持軸及び第２の支持軸を中心としてシャーシを略円弧状に打ち抜かれて形成された第１の回転ガイド溝及び第２の回転ガイド溝とを有し、
　前記巻取り側のローディングアーム部材は、前記第１の支持軸によって支持され、かつ、テープローディング開始前からテープローディング完了に亘って前記第１の回転ガイド溝と係合する第１のフック部を有し、
　前記供給側のローディングアーム部材は、前記第２の支持軸によって支持され、かつ、テープローディング開始前からテープローディング完了に亘って前記第２の回転ガイド溝と係合する第２のフック部と、前記巻取り側のローディングアーム部材の下方に位置され、テープローディング開始前からテープローディング完了に亘って前記第１のギアと平面視で重なり合う略扇状の鍔部と、前記モードレバー部材の縁部の下方に位置され、かつ前記供給側のローディングアーム部材の回転中心の近傍より径方向に突出して形成され、テープローディング完了時に該縁部と平面視で重なり合って前記モードレバー部材が前記供給側のローディングアーム部材から外れることを防止する押え片とを有し、
　前記モードレバー部材は、前記巻取り側及び供給側のローディングアーム部材よりも下方に位置され、テープローディング開始前に該巻取り側及び供給側のローディングアーム部材と平面視で重なり合い、テープローディング完了時に該供給側のローディングアーム部材と平面視で重なり合うことにより、前記第１のギアと第３のギアの噛合い、及び前記第２のギアとラックの噛合いを維持し、もって、磁気テープのローディング／アンローディング動作を可能にしたことを特徴とするビデオカセットレコーダのテープローディング装置。
【請求項２】
　磁気テープをガイドするためのガイドローラとガイドポストが立設され、シャーシに設けられたガイド溝に沿って摺動することにより、磁気テープを引出してヘッドシリンダに巻き付ける第１及び第２のスライダと、
　シャーシに回転自在に軸支され、回転力を受けるための第１のギアを有し、前記第１のスライダに摺動のための駆動力を伝達する第１のローディングアーム部材と、
　シャーシに回転自在に軸支され、回転力を受けるための第２のギア、及び前記第１のギアと噛合って前記第１のローディングアーム部材に回転力を伝達する第３のギアを有し、前記第２のスライダに摺動のための駆動力を伝達する第２のローディングアーム部材と、
　前記第２のギアと噛合うラックを有し、ビデオカセットレコーダの動作モードに応じてシャーシに沿ってスライド移動することにより、前記第２のローディングアーム部材に回転のための駆動力を伝達するモードレバー部材とを備えたビデオカセットレコーダのテープローディング装置において、
　前記第２のローディングアーム部材は、前記第１のローディングアーム部材の下方に位置され、テープローディング開始前からテープローディング完了に亘って前記第１のギアと平面視で重なり合う略扇状の鍔部と、前記モードレバー部材の縁部の下方に位置され、かつ前記第２のローディングアーム部材の回転中心の近傍より径方向に突出して形成され、テープローディング完了時に該縁部と平面視で重なり合って前記モードレバー部材が前記第２のローディングアーム部材から外れることを防止する押え片とを有し、
　前記モードレバー部材は、前記第１及び第２のローディングアーム部材よりも下方に位置され、テープローディング開始前に該第１及び第２のローディングアーム部材と平面視で重なり合い、テープローディング完了時に該第２のローディングアーム部材と平面視で重なり合うことにより、前記第１のギアと第３のギアの噛合い、及び前記第２のギアとラックの噛合いを維持し、もって、磁気テープのローディング／アンローディング動作を可能にしたことを特徴とするビデオカセットレコーダのテープローディング装置。
【請求項３】
　シャーシは、前記第１及び第２のローディングアーム部材を支持する第１の支持軸及び第２の支持軸と、この第１の支持軸及び第２の支持軸を中心としてシャーシを略円弧状に打ち抜かれて形成された第１の回転ガイド溝及び第２の回転ガイド溝とを有し、
　前記第１のローディングアーム部材は、前記第１の回転ガイド溝と係合する第１のフック部を有し、
　前記第２のローディングアーム部材は、前記第２の回転ガイド溝と係合する第２のフック部を有していることを特徴とする請求項２に記載のビデオカセットレコーダのテープローディング装置。
【考案の詳細な説明】
【技術分野】
【０００１】
　本考案は、ビデオカセットから磁気テープを引出して、ビデオカセットレコーダのヘッドシリンダに巻き付けるテープローディング装置に関するものである。
【背景技術】
【０００２】
　従来のテープローディング装置は、磁気テープをガイドしつつシャーシに設けられたガイド溝に沿って摺動する供給側及び巻取り側のスライダと、シャーシに回転自在に軸支され、巻取り側のスライダに摺動のための駆動力を伝達する巻取り側ローディングアームと、シャーシに回転自在に軸支され、巻取り側ローディングアームに回転のための駆動力を伝達すると共に、供給側のスライダに摺動のための駆動力を伝達する供給側ローディングアームと、シャーシに回転自在に軸支され、供給側ローディングアームに回転のための駆動力を伝達するアーム駆動ギアと、ビデオカセットレコーダの動作モードに応じてシャーシに沿ってスライド移動することにより、アーム駆動ギアに回転のための駆動力を伝達するモードレバー等によって構成されている。
【０００３】
　供給側及び巻取り側のローディングアーム並びにアーム駆動ギアは、シャーシから下方に立設された支持軸によって支持されている。供給側のスライダと供給側のローディングアームとは、供給側レバーを介して連結されており、巻取り側のスライダと巻取り側のローディングアームとは、巻取り側のレバーを介して連結されている。供給側のレバー及び巻取り側のレバーの各ローディングアームとの連結部は、コイルばねによって各ローディングアームを延伸する方向にそれぞれ付勢されている。
【０００４】
　供給側及び巻取り側のローディングアーム、アーム駆動ギア、モードレバーはシャーシの下方に配設されているので、各部品がシャーシから脱落しないように支持する機構を設けなければならない。例えば、アーム駆動ギアは、その支持軸の先端部に装着されるワッシャによって支持軸から脱落しないように支持され、このアーム駆動ギアによってモードレバー及び供給側ローディングアームが押えられることにより、上記部品のシャーシからの脱落を防止することができる。
【０００５】
　また、上記従来のテープローディング装置とは別に、トーションばねによって供給側及び巻取り側のローディングアームを付勢するように構成されたテープローディング装置が知られている（例えば、特許文献１参照）。
【特許文献１】特開平８−３１５４６６号公報
【考案の開示】
【考案が解決しようとする課題】
【０００６】
　しかしながら、上記従来のテープローディング装置においては、供給側ローディングアームに回転のための駆動力を伝達すると共に、モードレバー及び供給側ローディングアームを押えるためのアーム駆動ギアが必要であるので、装置の構造が複雑となり、装置の製造コストが高騰する。また、供給側及び巻取り側のローディングアームを支持するための支持軸をシャーシに立設しなければならないので、やはり、装置の製造コストが高騰する。
【０００７】
　また、上記特許文献１に示されたテープローディング装置においては、供給側及び巻取り側のローディングアーム並びにモードレバーのシャーシからの脱落を防止するための機構を別途設けなければならないので、装置の構造が複雑となり、装置の製造コストが高騰する。
【０００８】
　本考案は、上記課題を解決するためになされたものであり、簡素かつ安価な構成でありながらも、ローディングアーム及びモードレバーのシャーシからの脱落を防止することができるビデオカセットレコーダのテープローディング装置を提供することを目的とする。
【課題を解決するための手段】
【０００９】
　上記目的を達成するために請求項１の考案は、磁気テープをガイドするためのガイドローラとガイドポストが立設され、シャーシに設けられたガイド溝に沿って摺動することにより、磁気テープを引出してヘッドシリンダに巻き付ける供給側及び巻取り側のスライダと、この供給側及び巻取り側のスライダにそれぞれ連結され、摺動のための駆動力を付与する供給側及び巻取り側のレバー部材と、シャーシに回転自在に軸支され、回転力を受けるための第１のギアを有し、巻取り側のレバー部材に連結され巻取り側のスライダを摺動させるための駆動力を巻取り側のレバー部材に伝達する巻取り側のローディングアーム部材と、シャーシに回転自在に支持され、回転力を受けるための第２のギア、及び第１のギアと噛合って巻取り側のローディングアーム部材に回転力を伝達する第３のギアを有し、供給側のレバー部材に連結され供給側のスライダを摺動させるための駆動力を供給側のレバー部材に伝達する供給側のローディングアーム部材と、第２のギアと噛合うラックを有し、ビデオカセットレコーダの動作モードに応じてシャーシに沿ってスライド移動することにより、供給側のローディングアーム部材に回転のための駆動力を伝達するモードレバー部材とを備えたビデオカセットレコーダのテープローディング装置において、シャーシは、その一部を円筒状に絞り加工することにより形成された第１の支持軸及び第２の支持軸と、この第１の支持軸及び第２の支持軸を中心としてシャーシを略円弧状に打ち抜かれて形成された第１の回転ガイド溝及び第２の回転ガイド溝とを有し、巻取り側のローディングアーム部材は、第１の支持軸によって支持され、かつ、テープローディング開始前からテープローディング完了に亘って第１の回転ガイド溝と係合する第１のフック部を有し、供給側のローディングアーム部材は、第２の支持軸によって支持され、かつ、テープローディング開始前からテープローディング完了に亘って第２の回転ガイド溝と係合する第２のフック部と、巻取り側のローディングアーム部材の下方に位置され、テープローディング開始前からテープローディング完了に亘って第１のギアと平面視で重なり合う略扇状の鍔部と、モードレバー部材の縁部の下方に位置され、かつ供給側のローディングアーム部材の回転中心の近傍より径方向に突出して形成され、テープローディング完了時に該縁部と平面視で重なり合ってモードレバー部材が供給側のローディングアーム部材から外れることを防止する押え片とを有し、モードレバー部材は、巻取り側及び供給側のローディングアーム部材よりも下方に位置され、テープローディング開始前に該巻取り側及び供給側のローディングアーム部材と平面視で重なり合い、テープローディング完了時に該供給側のローディングアーム部材と平面視で重なり合うことにより、第１のギアと第３のギアの噛合い、及び第２のギアとラックの噛合いを維持し、もって、磁気テープのローディング／アンローディング動作を可能にしたものである。
【００１０】
　この構成によれば、テープローディング開始前からテープローディング完了に亘って、第１の回転ガイド溝と第１のフック部とが係合し、かつ、供給側ローディングアーム部材とモードレバー部材とが重なり合うので、供給側のローディングアーム部材の姿勢が適正に維持され、該アーム部材のシャーシからの脱落、及びモードレバー部材のラックと第２のギアとの噛合わせ不良が防止される。また、テープローディング開始前に巻取り側のローディングアーム部材とモードレバー部材とが重なり合い、テープローディング開始前からテープローディング完了に亘って、第２の回転ガイド溝と第２のフック部とが係合し、かつ、第１のギアと供給側のローディングアーム部材の鍔部とが重なり合うので、巻取り側のローディングアーム部材の姿勢が適正に維持され、該部材のシャーシからの脱落、及び第１のギアと第３のギアとの噛合わせ不良が防止される。さらに、テープローディング完了時においては、供給側ローディングアーム部材の押え片がモードレバー部材の縁部と重なり合って、該アーム部材の本体部分と押え片とによってモードレバー部材上下から挟み込む状態となるので、該アーム部材の姿勢が適正に維持される。これによって、ローディングアームにかかる負荷が大きいテープローディング完了時でも、モードレバーが供給側ローディングアーム部材から外れることを防止することができる。
【００１１】
　請求項２の考案は、磁気テープをガイドするためのガイドローラとガイドポストが立設され、シャーシに設けられたガイド溝に沿って摺動することにより、磁気テープを引出してヘッドシリンダに巻き付ける第１及び第２のスライダと、シャーシに回転自在に軸支され、回転力を受けるための第１のギアを有し、第１のスライダに摺動のための駆動力を伝達する第１のローディングアーム部材と、シャーシに回転自在に軸支され、回転力を受けるための第２のギア、及び第１のギアと噛合って第１のローディングアーム部材に回転力を伝達する第３のギアを有し、第２のスライダに摺動のための駆動力を伝達する第２のローディングアーム部材と、第２のギアと噛合うラックを有し、ビデオカセットレコーダの動作モードに応じてシャーシに沿ってスライド移動することにより、第２のローディングアーム部材に回転のための駆動力を伝達するモードレバー部材とを備えたビデオカセットレコーダのテープローディング装置において、第２のローディングアーム部材は、第１のローディングアーム部材の下方に位置され、テープローディング開始前からテープローディング完了に亘って第１のギアと平面視で重なり合う略扇状の鍔部と、モードレバー部材の縁部の下方に位置され、かつ第２のローディングアーム部材の回転中心の近傍より径方向に突出して形成され、テープローディング完了時に該縁部と平面視で重なり合ってモードレバー部材が第２のローディングアーム部材から外れることを防止する押え片とを有し、
　モードレバー部材は、第１及び第２のローディングアーム部材よりも下方に位置され、テープローディング開始前に該第１及び第２のローディングアーム部材と平面視で重なり合い、テープローディング完了時に該第２のローディングアーム部材と平面視で重なり合うことにより、第１のギアと第３のギアの噛合い、及び第２のギアとラックの噛合いを維持し、もって、磁気テープのローディング／アンローディング動作を可能にしたものである。
【００１２】
　この構成によれば、テープローディング開始前からテープローディング完了に亘って、第２のローディングアーム部材とモードレバー部材とが重なり合うので、第２のローディングアーム部材のシャーシからの脱落、及びモードレバー部材のラックと第２のギアとの噛合わせ不良を防止できる。また、テープローディング開始前に第１のローディングアーム部材とモードレバー部材とが重なり合い、テープローディング開始前からテープローディング完了に亘って、第１のギアと第２のローディングアーム部材の鍔部とが重なり合うので、第１のローディングアーム部材のシャーシからの脱落、及び第１のギアと第３のギアとの噛合わせ不良を防止できる。さらに、テープローディング完了時においては、第２のローディングアーム部材の押え片がモードレバー部材の縁部と重なり合って、該アーム部材の本体部分と押え片とによってモードレバー部材上下から挟み込む状態となるので、該アーム部材の姿勢が適正に維持される。これによって、ローディングアームにかかる負荷が大きいテープローディング完了時でも、モードレバーが第２のローディングアーム部材から外れることを防止することができる。
【００１３】
　請求項３の考案は、請求項２に記載のビデオカセットレコーダのテープローディング装置において、シャーシは、第１及び第２のローディングアーム部材を支持する第１の支持軸及び第２の支持軸と、この第１の支持軸及び第２の支持軸を中心としてシャーシを略円弧状に打ち抜かれて形成された第１の回転ガイド溝及び第２の回転ガイド溝とを有し、第１のローディングアーム部材は、第１の回転ガイド溝と係合する第１のフック部を有し、第２のローディングアーム部材は、第２の回転ガイド溝と係合する第２のフック部を有しているものである。
【００１４】
　この構成においては、テープローディング開始前からテープローディング完了直前に亘って、第１の回転ガイド溝と第１のフック部とが係合し、かつ、第２の回転ガイド溝と第２のフック部とが係合するので、第１及び第２のローディングアーム部材のシャーシからの脱落をさらに確実に防止できる。
【考案の効果】
【００１５】
　請求項１の考案によれば、従来のテープローディング装置において、ローディングアーム部材に回転駆動力を伝達すると共に、ローディングアーム部材及びモードレバー部材のシャーシからの脱落を防止するために必要とされていたアーム駆動ギアを省略しても、ローディングアーム部材及びモードレバー部材のシャーシからの脱落を防止することができる。これにより、アーム駆動ギアのみならず、アーム駆動ギアを軸支するための支持軸及びアーム駆動ギアの支持軸からの脱落を防止するためのワッシャをも省くことが可能となり、テープローディング装置の構造を簡素化して、ビデオカセットレコーダの製造コストの削減を図ることができる。また、各ローディングアームを軸支するための支持軸を、シャーシの一部を円筒状に絞り加工することにより形成しているので、別途支持軸を立設する必要がなくなり、テープローディング装置の構造を簡素化して、ビデオカセットレコーダの製造コストの削減を図ることができる。
【００１６】
　請求項２の考案によれば、従来のテープローディング装置において、ローディングアーム部材に回転駆動力を伝達すると共に、ローディングアーム部材及びモードレバー部材のシャーシからの脱落を防止するために必要とされていたアーム駆動ギアを省略しても、ローディングアーム部材及びモードレバー部材のシャーシからの脱落を防止することができる。これにより、アーム駆動ギアのみならず、アーム駆動ギアを軸支するための支持軸及びアーム駆動ギアの支持軸からの脱落を防止するためのワッシャをも省くことが可能となり、テープローディング装置の構造を簡素化して、ビデオカセットレコーダの製造コストの削減を図ることができる。
【００１７】
　請求項３の考案によれば、第１の回転ガイド溝と第１のフック部の係合、及び第２の回転ガイド溝と第２のフック部の係合によって、第１及び第２のローディングアーム部材のシャーシからの脱落をさらに確実に防止できる。
【考案を実施するための最良の形態】
【００１８】
　本考案を実施するための最良の形態について図面を参照して説明する。本考案の一実施の形態に係る磁気テープを用いた記録再生装置の構成を図１及び図２に示す。図１はシャーシＣの上側（テープカセットが装着される側）の構成を示す正面図であり、図２はシャーシＣの下側の構成を示す背面図である。
【００１９】
　テープローディング装置１は、ビデオカセットレコーダ５０に装填されたビデオカセットから磁気テープを引出してヘッドシリンダ２に巻き付ける装置であり、従来の装置において、ローディングアームに回転駆動力を伝達すると共にローディングアーム及びモードレバーのシャーシからの脱落を防止するために必要とされていたアーム駆動ギアを省略し得るように構成されている。すなわち、テープローディング装置１は、シャーシＣのヘッドシリンダ２を挟んで互いに対向する位置に設けられたガイド溝３Ａ，３Ｂに沿って摺動する供給側のスライダ（第２のスライダ）４及び巻取り側のスライダ（第１のスライダ）５と、スライダ４及びスライダ５にそれぞれ連結され、摺動のための駆動力を付与する供給側のレバー（第２のレバー）６及び巻取り側のレバー（第１のレバー）７と、シャーシＣに回転自在に軸支され、スライダ４を摺動させるための駆動力をレバー６に伝達する供給側のローディングアーム（第２のローディングアーム）８及びスライダ５を摺動させるための駆動力をレバー７に伝達する巻取り側のローディングアーム（第１のローディングアーム）９と、ビデオカセットレコーダ５０の動作モードに応じてシャーシＣに沿ってスライド移動することにより、ローディングアーム８，９に回転のための駆動力を伝達するモードレバー１０等を備えている。
【００２０】
　スライダ４，５は、ガイド溝３Ａ，３Ｂに嵌挿され、そのシャーシ上面側には、磁気テープをガイドするためのガイドローラ１１と、ガイドポスト１２が立設されている。各レバー６，７及び各ローディングアーム８，９はシャーシＣの下面側に配設されている。レバー６の一端側はスライダ４に回転自在に連結されており、他端側はローディングアーム８の先端部に回転自在に、かつ、ローディングアーム８の先端を延伸する方向にスライド自在に連結されている。同様に、レバー７の一端側はスライダ５に回転自在に連結されており、他端側はローディングアーム９の先端部に回転自在に、かつ、ローディングアーム９の先端を延伸する方向にスライド自在に連結されている。また、レバー６，７はローディングアーム８，９の先端部に装着されたコイルばね１３（図５参照）によってローディングアーム８，９の先端を延伸する方向に付勢されている。このように、コイルばね１３によってレバー６，７を付勢することによって、ローディングアーム８，９の実質的なアーム長が延長されることになる。これにより、ローディング完了時にスライダ４，５がガイド溝３Ａ，３Ｂの終端にそれぞれ押し付けられ、スライダ４，５をガイド溝３Ａ，３Ｂの終端位置に正確に停止させることができるようになる。
【００２１】
　ローディングアーム９は、回転力を受けるための第１のギア１５を有し、第１の支持軸１６に回転自在に軸支される。ローディングアーム８は、回転力を受けるための第２のギア１７、及びギア１５と噛合ってローディングアーム９に回転力を伝達する第３のギア１８を有し、第２の支持軸１９に回転自在に軸支される。ローディングアーム９のギア１５の上端には、ローディングアーム９がテープローディング開始位置からテープローディング完了位置まで回転する際、ギア１８の噛合わせ部と平面視で重なり合ってギア１８をガイドする鍔部２０が扇状に形成されている。一方、ローディングアーム８のギア１８の下端には、ローディングアーム８が、テープローディング開始位置からテープローディング完了位置まで回転する際、ギア１５の噛合わせ部と平面視で重なり合ってギア１５をガイドする鍔部２１が扇状に形成されている。また、ローディングアーム８の回転中心の近傍からは、モードレバー１０がローディングアーム８から外れることを防止するための押え片２２が径方向に突出して形成されている。押え片２２はモードレバー１０よりもシャーシＣの下方向に位置され、テープローディング完了時にモードレバー１０の縁部２３と平面視で重なり合うように設けられている（図５参照）。
【００２２】
　図３は、ローディングアーム８，９及び支持軸１６，１９の近傍のシャーシＣの断面を示している。支持軸１６及び支持軸１９は、シャーシＣの一部を円筒状に絞り加工することにより形成されている。支持軸１６及び支持軸１９の近傍には、各軸を中心とする第１の回転ガイド溝２５及び第２の回転ガイド溝２６がシャーシＣを打ち抜くことにより形成されている。一方、ローディングアーム９及びローディングアーム８の下面側には、回転ガイド溝２５及び回転ガイド溝２６に嵌挿されて係合する第１のフック部２７及び第２のフック部２８が形成されている。回転ガイド溝２５及び回転ガイド溝２６は、ローディングアーム９及びローディングアーム８が、テープローディング開始位置からテープローディング完了位置まで回転する際、フック部２７及びフック部２８をガイドし得るように略円弧状に形成されている（図１参照）。
【００２３】
　図２に戻って、モードレバー１０は、ローディングアーム８，９よりもシャーシＣの下方向に配置され、ギア１７と噛合うラック３０及びギア部品３１と噛合うラック３２と、シャーシＣより切り起されたフック部３３が係合されるガイド溝３４を有し、フック部３３によってシャーシＣに沿ってスライド自在に支持されている。ギア部品３１、ギア部品３５，３６、ウォーム３７、プーリ３８、ベルト３９、プーリ４０及びローディングモータ４１によりモードレバー駆動機構が構成される。すなわち、ローディングモータ４１の駆動力は、プーリ４０、ベルト３９、プーリ３８、ウォーム３７、ギア部品３６、ギア部品３５、ギア部品３１を順次介してモードレバー１０に伝達され、モードレバー１０がスライド駆動される。モードレバー１０のスライドに移動に伴ってラック３０がギア１７を回転駆動し、ローディングアーム８が回転すると共に、ギア１８がギア１５を回転駆動しローディングアーム９が回転する。これにより、スライダ４，５が駆動され、ガイド溝３Ａ，３Ｂに沿って摺動する。
【００２４】
　ローディングアーム８，９及びモードレバー１０はシャーシＣより下方に吊り下げられた状態にあるので、各部品をシャーシＣから外れないように支持する必要がある。そこで、本実施形態では、フック部３３によってモードレバー１０を支持すると共に、ローディングアーム８，９をモードレバー１０と平面視で重なり合うように配置して、モードレバー１０によってローディングアーム８，９を支持し得るように構成している。さらに、鍔部２１とギア１５との重なりによって、ローディングアーム９を支持し得るように構成しているので、部品点数を増やすことなく、各部品の脱落を防止することができる。
【００２５】
　また、本実施形態では、シャーシＣを絞り加工して支持軸１６，１９を形成しているので、支持軸１６，１９の高さ寸法を十分に大きくとることができないことから、ローディング完了時に発生するコイルばね１３の反力を受けたローディングアーム９，８の姿勢をシャーシＣに対して略平行に維持することが困難となることがある。そこで、テープローディング装置１では、フック部２７，２８によってローディングアーム９，８を支持すると共に、ローディングアーム８の本体部分と押え片２２によって縁部２３を上下から挟み込むことにより、ローディングアーム８，９の姿勢が適正に維持できるように構成している。これにより、コイルばね１３の反力が発生するローディング完了時にあっても、ギア１８とギア１５、又はラック３０とギア１７の噛合わせ不良が発生したり、モードレバー１０がローディングアーム８から外れたりすることを防止することができる。なお、ローディング完了時におけるローディングアーム８，９の姿勢変化を抑制するためには、各ローディングアーム８，９の回転中心と先端部とを結んだ直線の近傍にフック部２７，２８を配置することが望ましい。
【００２６】
　次に、テープローディング装置１の動作について、図４及び図５を参照して説明する。図４は、テープローディング開始前のテープローディング装置１を、図５はテープローディング完了後のテープローディング装置１を示している。図４に示されるテープローディング開始前の状態において、モードレバー１０が矢印Ｅ方向に駆動されると、ローディングアーム８及びローディングアーム９がそれぞれ矢印Ｆ方向及び矢印Ｇ方向に回転駆動され、図５に示した状態に至る。このとき、モードレバー１０とローディングアーム８のいずれかの部位との重なり状態が維持され、ローディングアーム８はモードレバー１０によって支持し得ることとなるので、ローディング途中及びローディング完了後におけるローディングアーム８の脱落を防止することができる。また、ギア１５の噛合わせ部と鍔部２１の重なり状態が維持され、ローディングアーム９はローディングアーム８によって支持し得ることとなるので、ローディングアーム９の脱落やギア１８とギア１５の噛合わせ不良を防止することができる。さらに、押え片２２がモードレバー１０の縁部２３重なり合うので、ローディングアーム８及びモードレバー１０の姿勢を適正に維持することができ、ギア１８とギア１５、又はラック３０とギア１７の噛合わせ不良が発生したり、モードレバー１０がローディングアーム８から外れたりすることを防止することができる。
【００２７】
　以上のように、テープローディング装置１によれば、従来の装置において、ローディングアーム８，９に回転駆動力を伝達すると共に、ローディングアーム８，９及びモードレバー１０のシャーシＣからの脱落を防止するために必要とされていたアーム駆動ギアを省略しても、ローディングアーム８，９及びモードレバー１０のシャーシＣからの脱落を防止することができる。これにより、アーム駆動ギアのみならず、アーム駆動ギアを軸支するための支持軸及びアーム駆動ギアの支持軸からの脱落を防止するためのワッシャをも省くことが可能となり、装置の構造を簡素化して、ビデオカセットレコーダの製造コストの削減を図ることができる。また、各ローディングアーム９，８を軸支するための支持軸１６，１９を、シャーシＣの一部を円筒状に絞り加工することにより形成しているので、別途支持軸を立設する必要がなくなり、装置の構造を簡素化して、ビデオカセットレコーダの製造コストの削減を図ることができる。
【００２８】
　なお、本考案は上記実施形態の構成に限られることなく種々の変形が可能であり、例えば、支持軸１６，１９は、シャーシＣを絞り加工して形成する形態がビデオカセットレコーダの製造コストを低減するうえでも最も望ましいが、シャーシＣに軸部材を別途立設するように構成してもよい。また、テープローディング装置は、第２のギア１７、鍔部２１及び押え片２２を巻取り側のローディングアーム９に設けて成る形態であっても構わない。この場合において、請求項２に記載の第１のローディングアームとは、供給側のローディングアーム８をいい、第２のローディングアームとは、巻取り側のローディングアーム９をいう。請求項２に記載の第１及び第２のスライダ、第１及び第２のレバー部材に関しても同様である。
【図面の簡単な説明】
【００２９】
【図１】本考案の一実施形態によるテープローディング装置を備えたビデオカセットレコーダを示した正面図。
【図２】同レコーダを示した背面図。
【図３】（ａ）は同装置の巻取り側ローディングアーム及びその支持軸近傍を示した断面図、（ｂ）は同装置の供給側ローディングアーム及びその支持軸近傍を示した断面図。
【図４】同装置のローディング開始前の状態を示した背面図。
【図５】同装置のローディング完了後の状態を示した背面図。
【符号の説明】
【００３０】
　１　　テープローディング装置
　２　　ヘッドシリンダ
　４　　供給側のスライダ（第２のスライダ）
　５　　巻取り側のスライダ（第１のスライダ）
　６　　供給側のレバー（第２のレバー）
　７　　巻取り側のレバー（第１のレバー）
　８　　供給側のローディングアーム（第２のローディングアーム）
　９　　巻取り側のローディングアーム（第１のローディングアーム）
　１０　　モードレバー
　１５　　第１のギア
　１６　　第１の支持軸
　１７　　第２のギア
　１８　　第３のギア
　１９　　第２の支持軸
　２１　　鍔部
　２２　　押え片
　２３　　縁部
　２５　　第１の回転ガイド溝
　２６　　第２の回転ガイド溝
　２７　　第１のフック部
　２８　　第２のフック部２８
　５０　　ビデオカセットレコーダ
　Ｃ　　シャーシ
【図１】
0003099703.tif 000003
【図２】
0003099703.tif 000004
【図３】
0003099703.tif 000005
【図４】
0003099703.tif 000006
【図５】
0003099703.tif 000007